(57)【特許請求の範囲】
【請求項１】
第一回転型物の下側に第一回転型物と同一の回転中心軸で回転する第二回転型物を配置するとともに、
第一回転型物の下面に取り付けた摺動子と第二回転型物の下面に取り付けた摺動子とを同一高さであって、前記第一回転型物の摺動子の回転円と前記第二回転型物の摺動子の回転円とが同一の円となるように両摺動子の取付位置を設置し、同一面にある基板の摺接パターンにそれぞれ摺接せしめることを特徴とする回転式電子部品。
【請求項２】
前記第一回転型物の摺動子を取り付ける摺動子取付面を第二回転型物側に向かって突出する取付台上に設けることによって、第一回転型物の下面に取り付ける摺動子と第二回転型物の下面に取り付ける摺動子とを同一高さに設置することを特徴とする請求項１記載の回転式電子部品。
【請求項３】
固定側部材に対して回転する第一回転型物の下側に第一回転型物と同一の回転中心軸で回転する第二回転型物を配置するとともに、
第二回転型物の操作部を第一回転型物の外周から突出し、
且つ第二回転型物を回転した際にクリック感覚を生じさせるクリック機構を設け、該クリック機構の上部に配置された固定側部材からなるクリック機構収納部の上に前記操作部を配置したことを特徴とする回転式電子部品。
【発明の詳細な説明】
【０００１】
【発明の属する技術分野】
本発明は２つの回転型物を同一回転軸を中心に回転するように設置してなる回転式電子部品に関するものである。
【０００２】
【従来の技術】
従来、２つの回転型物を同一回転軸を中心に回転するように設置してなる回転式電子部品がある。この種の回転式電子部品は、一方の回転型物に取り付けたつまみと、他方の回転型物に取り付けたつまみをそれぞれ独立して回転することでそれぞれ別のスイッチ等を操作できるように構成されている。
【０００３】
しかしながらこの種の従来の回転式電子部品においては、それぞれの回転型物に取り付けた摺動子を摺接させる基板を上下二段に設置する場合はその厚みの薄型化が図れず、またそれぞれの回転型物に取り付けた摺動子を摺接させる基板を同一面に設置しようとする場合はその径の小型化が図れない等の問題点があった。
【０００４】
【発明が解決しようとする課題】
本発明は上述の点に鑑みてなされたものでありその目的は、小型・薄型化が図れて構造も簡単な回転式電子部品を提供することにある。
【０００５】
【課題を解決するための手段】
上記問題点を解決するため本発明にかかる回転式電子部品は、第一回転型物の下側に第一回転型物と同一の回転中心軸で回転する第二回転型物を配置するとともに、第一回転型物の下面に取り付けた摺動子と第二回転型物の下面に取り付けた摺動子とを同一高さであって、前記第一回転型物の摺動子の回転円と前記第二回転型物の摺動子の回転円とが同一の円となるように両摺動子の取付位置を設置し、同一面にある基板の摺接パターンにそれぞれ摺接せしめることを特徴とする。
【０００６】
また本発明は、前記第一回転型物の摺動子を取り付ける摺動子取付面を第二回転型物側に向かって突出する取付台上に設けることによって、第一回転型物の下面に取り付ける摺動子と第二回転型物の下面に取り付ける摺動子とを同一高さに設置することを特徴とする。
【０００７】
ここで前記第二回転型物の操作部を第一回転型物の外周から外方に突出して設け、前記操作部の下側に固定側部材を挟む隙間を隔ててクリック部を突出して設け、固定側部材のクリック部に対向する位置にクリック部への係合・離脱をするクリック弾発手段を取り付けることが好ましい。
【０００８】
また本発明にかかる回転式電子部品は、固定側部材に対して回転する第一回転型物の下側に第一回転型物と同一の回転中心軸で回転する第二回転型物を配置するとともに、第二回転型物の操作部を第一回転型物の外周から突出し、且つ第二回転型物を回転した際にクリック感覚を生じさせるクリック機構を設け、該クリック機構の上部に配置された固定側部材からなるクリック機構収納部の上に前記操作部を配置したことを特徴とする。
【０００９】
【発明の実施の形態】
以下、本発明の実施の形態を図面を参照して詳細に説明する。
図１乃至図３は本発明にかかる回転式電子部品１の分解斜視図であり、３つの図面で１つの回転式電子部品１を構成している。これらの図に示すように回転式電子部品１は、基台１０上に、基板２０と、可動接点部材３０と、クリックバネ４７を取り付けた第二ケース３５と、摺動子２００を取り付けた第二回転型物５０と、摺動子２１０とロック用部材２３０とクリック弾接部材２５０とを取り付けた第一回転型物７０と、クリック係合部材２６０を取り付けた第一ケース１１０と、キートップ１２０と、第一回転つまみ１３０とを取り付けて構成されている。以下各構成部品について説明する。
【００１０】
基台１０は金属板製であり、その周囲５箇所に取付孔１１が設けられ、また前記ロック用部材２３０に対向する位置には円弧状のガイド孔１３が設けられ、さらに下記する第二ケース３５のクリック機構収納部４１に対向する位置には突出部１５を設けて構成されている。
【００１１】
基板２０は可撓性を有する合成樹脂フイルム上に押圧用のスイッチパターン２１と、第一，第二の回転用の摺接パターン（スイッチパターン）２３，２５と、前記基台１０の４つの取付孔１１に対向する位置に設けられる取付孔２７と、前記基台１０の突出部１５に対向する位置に設けられる突出部２９とを具備して構成されている。突出部２９からは引き出し部３１が引き出されている。なお図示はしないが各パターン２１，２３，２５からは引き出しパターンが引出部３１に向けて引き出されている。そして第一，第二の摺接パターン２３，２５は、同一の円上に位置するように形成されている。
【００１２】
可動接点部材３０は弾性ゴムを略円錐台形状であって下面側に凹部３１を設けた形状に形成されており、図６に示すようにその中央の押圧部３３の下面に導電層３４を取り付けて構成されている。
【００１３】
第二ケース（固定側部材）３５は合成樹脂を略枠状に成形し、その外形形状を前記基板２０の外形形状と略同じに形成しており、これによってその中央にスイッチ機構収納部３７を形成している。そして前記基板２０の各取付孔２７に対向する位置には上下方向に貫通する取付孔３９が設けられ、さらにその外周からはクリック機構収納部４１を突出している。クリック機構収納部４１はその下面に凹状の収納部４３を設け、収納部４３の上面から下方向に向けて二本の小突起４５を突出している。
【００１４】
一方クリックバネ（クリック弾発手段）４７は、弾性金属板の一辺を下方向に折り曲げることでアーム部４８を形成しその中央に弾発部４８１を設け、またその所定位置に二つの取付孔４９を設けて構成されている。そしてこのクリックバネ４７は第二ケース３５の収納部４３内に収納されてその小突起４５を取付孔４９に挿入して先端を熱カシメすることで収納部４３内に固定される。
【００１５】
ここで図４は第二回転型物５０と第一回転型物７０を下側から見た斜視図である。同図及び図２に示すように第二回転型物５０は合成樹脂成形品であり、略リング状に形成してなる本体部５１の外周からアーム状の引出部５３を突出し、引出部５３の先端に操作部５５を設けて構成されている。本体部５１の中央には下記する第一ケース１１０の収納部１１１を回動自在に挿入する孔５２が設けられている。また本体部５１の外周からは略板状に突出する突出部５７が設けられ、その下面には摺動子取付面５９が設けられている。摺動子取付面５９は本体部５１の他の部分よりも少し凹ませた凹部６１内に設けられており、摺動子取付面５９からは小突起状の取付部６３が突出している。この摺動子取付面５９には弾性金属板製の摺動子２００の平板状の基部２０１を当接して基部２０１に設けた取付孔２０３に前記取付部６３を挿入してその先端を熱カシメすることで固定される。基部２０１の先端からは二本の摺動冊子２０５が突出して折り曲げられており、その先端近傍には接点部２０７が設けられている。一方操作部５５の下面側の根元部分からは操作部５５の下面と所定の隙間（凹部）６７を隔てて突起状のクリック部６５を突出している。
【００１６】
次に第一回転型物７０は図２及び図４に示すように合成樹脂成形品であり、略円板状に形成してなる本体部７１の外周からロック機構収納部７３を突出して構成されている。本体部７１の中央には下記する第一ケース１１０の収納部１１１を回動自在に挿入する孔７５（第二回転型物５０の孔５２と同一径）が設けられている。そして本体部７１の所定位置には２つの取付孔７７が設けられ、また本体部７１の上面所定位置からは２つの突起状の取付部７８が突出し、さらに本体部７１の下面には摺動子取付面７９が設けられている。摺動子取付面７９は本体部７１の下面よりも所定高さ突出する取付台８１上に設けられている。摺動子取付面７９からは小突起状の取付部８３が突出している。この摺動子取付面７９には弾性金属板製の摺動子２１０の平板状の基部２１１が当接されて基部２１１に設けた取付孔２１３に前記取付部８３を挿入してその先端を熱カシメすることで固定される。基部２１１の先端からは二本の摺動冊子２１５が突出されて折り曲げられており、その先端近傍には接点部２１７が設けられている。一方ロック機構収納部７３はその上面に略扇形状で凹状の収納部８５が設けられ、またその底面にはガイド孔８７が設けられている。
【００１７】
次にロック用部材２３０は合成樹脂成形品であり、略扇形状の基部２３１の上面から押圧部２３３を突出して構成されている。基部２３１は前記ロック機構収納部７３の収納部８５内に上下動自在に収納される形状に形成されており、その下面からはコイルバネ２４０に挿入される突起２３５を突出している。基部２３１は段部２３７，２３９を設けることで段部２３７，２３９の上側の部分を下側の部分よりも小さくしている。
【００１８】
次にクリック弾接部材２５０は弾性金属板を略リング状に形成して構成されており、前記第一回転型物７０の２つの取付孔７７と２つの取付部７８に対向する位置にそれぞれ取付孔７７と取付部７８と同一形状の孔２５１と孔２５２とを設け、また円弧状のアーム部２５３を上方向に少し折り曲げると共にアーム部２５３の中央に上方向に突出する弾接部２５５を設けて構成されている。
【００１９】
次に第一ケース１１０は合成樹脂成形品であり、前記第二ケース３５の上面に重なる形状に形成されている。第一ケース１１０の中央には筒状であってその内部に前記可動接点部材３０を収納する収納部１１１が設けられ、収納部１１１の外側には二本の円弧状の挿通孔１１３，１１３が設けられ、また前記第一の回転型物７０のロック機構収納部７３に対向する位置に円弧状であってロック用部材２３０の押圧部２３３を貫通すると共にその中間に基部２３１の段部２３７，２３９の上側部分を係合離脱する形状の係合部１１６を設けた貫通部１１５を設け、その外周下面の前記基台１０の各取付孔１１に対向する位置から固定部１１７を突出し、さらに第一ケース１１０の側面に前記第二回転型物５０の引出部５３を左右に所定寸法揺動可能に突出させる切欠き部１１９を設けて構成されている。
【００２０】
クリック係合部材２６０は金属板を略リング状に形成して構成されており、その中央には前記第一ケース１１０の下面から下方向に向かって突出する筒状の収納部１１１の外周に挿入される挿入部２６１が設けられている。挿入部２６１の内周辺からは３つの係合片２６３が突出している。一方クリック係合部材２６０の外周辺からは扇状の突出片２６５が突出しており、その中には前記クリック弾接部材２５０の弾接部２５５を係合・離脱させてクリック感覚を生じさせる３つの貫通孔からなるクリック係合部２６７が設けられている。
【００２１】
キートップ１２０は合成樹脂を略円板状に成形して構成されており、その外周からはつば部１２１を突出し、またその下面中央からは押圧部１２３を突出している。
【００２２】
第一回転つまみ１３０は合成樹脂を略板状に成形して構成されており、中央には前記キートップ１２０を貫通する挿通部１３１が設けられ、その所定位置には前記ロック用部材２３０の押圧部２３３を挿入する挿入部１３３が設けられ、その下面の前記挿通部１３１の両側部分からはその先端が前記クリック弾接部材２５０の孔２５１と第一回転型物７０の取付孔７７に挿入される二本の固定アーム１３５を突出している。
【００２３】
次にこの回転式電子部品の組立方法を説明する。まず第一回転つまみ１３０の下側からその挿通部１３１内にキートップ１２０を挿入する。次に第一回転つまみ１３０の下側に第一ケース１１０を設置してその際第一回転つまみ１３０の二本の固定アーム１３５を第一ケース１１０の挿通孔１１３，１１３に挿入し、同時にキートップ１２０の押圧部１２３を第一ケース１１０の収納部１１１内に挿入する。
【００２４】
次に第一ケース１１０の下面の収納部１１１の外周をクリック係合部材２６０の挿入部２６１に挿入して係合片２６３を係合させ、第一ケース１１０の下面にクリック係合部材２６０を接合する。
【００２５】
次に予め下面に摺動子２１０を固定した第一回転型物７０の上面にクリック弾接部材２５０を載置し、その際孔２５２を貫通した取付部７８の先端を熱カシメして固定し、さらに第一回転型物７０のロック機構収納部７３の収納部８５内にコイルバネ２４０とロック用部材２３０の基部２３１とを収納した状態のものを第一ケース１１０の下面側に配置する。その際第一ケース１１０の収納部１１１の外周を第一回転型物７０の孔７５に挿入して第一回転型物７０を回動自在に軸支すると同時に、第一回転つまみ１３０の固定アーム１３５の先端を第一回転型物７０の取付孔７７に挿入してその先端を熱カシメして固定する。
【００２６】
次に第一回転型物７０の下側に摺動子２００を取り付けた第二回転型物５０を配置することで第一ケース１１０の収納部１１１の外周を第二回転型物５０の孔５２に挿入して第二回転型物５０を回動自在に軸支する。
【００２７】
次に収納部１１１内に可動接点部材３０を挿入し、また第一ケース１１０の下側にクリックバネ４７を固定した第二ケース３５を配置し、さらにその下側に基板２０と基台１０とを配置する。その際第一ケース１１０の下面から突出する固定部１１７を第二ケース３５の取付孔３９と基板２０の取付孔２７と基台１０の取付孔１１に貫通し、基台１０の裏面側で熱カシメすることで一体化する。
【００２８】
図５は以上のようにして組み立てた回転式電子部品１の斜視図であり、また図６，図７はそれぞれ回転式電子部品１を別の断面（Ａ−Ａ断面とＢ−Ｂ断面）で切断した概略側断面図である。図６，図７に示すようにキートップ１２０は可動接点部材３０によって第一回転つまみ１３０の挿通部１３１内に突入している。またロック用部材２３０の押圧部２３３は第一回転つまみ１３０の挿入部１３３内にコイルバネ２４０によって突入している。なお図６はロック用部材２３０の基部２３１の段部２３７，２３９の上側部分が第一ケース１１０の貫通部１１５の係合部１１６の部分に係合することで第一回転つまみ１３０がこの位置にロックされた状態を示している。
【００２９】
ここで図８は組み立てたときの第一回転型物７０と第二回転型物５０の位置関係を示す図である。同図に示すように第一回転型物７０に固定する摺動子２１０は、第一回転型物７０に設けた第二回転型物５０側に向かって突出する取付台８１上に取り付けられることで、第二回転型物５０の下面に取り付ける摺動子２００と同一高さに設置され、これによって同一平面にある一枚の基板２０の摺接パターン２３，２５にそれぞれ摺接することができるように構成されている。同時に第一回転型物７０に取り付けた摺動子２１０の回転円と、第二回転型物５０に取り付けた摺動子２００の回転円とが、同一の円となるように両摺動子２１０，２００の取付位置を設置しており、これによって回転式電子部品１の面積の小型化を図っている。
【００３０】
また図７に示すように第二回転型物５０に設けた操作部５５の下側に固定側部材である第二ケース３５のクリック機構収納部４１を構成する板部を挟んでその下側にクリック部６５を位置せしめ、第二ケース３５のクリック部６５に対向する位置にクリック部６５先端への係合・離脱をするクリックバネ（クリック弾発手段）４７の弾発部４８１を弾接してクリック機構を構成している。
【００３１】
そしてキートップ１２０を押圧すればキートップ１２０と共に可動接点部材３０の押圧部３３が下降して導電層３４が基板２０の押圧用スイッチパターン２１に当接してこれをオンする。押圧を中止すれば可動接点部材３０の自動復帰力でキートップ１２０は元の位置に自動復帰する。
【００３２】
一方ロック用部材２３０の押圧部２３３を押圧して下降し、基部２３１の段部２３７，２３９の上側部分を第一ケース１１０の貫通部１１５の下側に移動させてロックを解除した状態で第一回転つまみ１３０を回転すると、これと一体に第一回転型物７０が回転し、これに固定した摺動子２１０が基板２０の摺接パターン２３上を摺動してこれをオンオフする。
【００３３】
次に第二回転型物５０の操作部５５を回転方向に揺動すると、第二回転型物５０に固定した摺動子２００が基板２０の摺接パターン２５上を摺動してこれをオンオフする。第二回転型物５０はそのクリック部６５の先端が第二ケース３５に取り付けたクリックバネ４７の弾発部４８１によって押圧されており、クリック部６５が弾発部４８１の左側又は右側に位置するときにその位置が安定し、クリック部６５が弾発部４８１を乗り越える際、すなわちスイッチを切り換える際にクリック感覚が生じる。
【００３４】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。
【００３５】
【発明の効果】
以上詳細に説明したように本発明によれば以下のような優れた効果を有する。▲１▼同一の回転中心軸で回転する第一，第二回転型物のそれぞれの下面に取り付けた摺動子を同一高さに設置し、同一面にある基板の摺接パターンにそれぞれ摺接せしめるように構成したので、一枚の基板を共用でき、部品点数の削減が図れるばかりか、厚みの薄型化が図れる。
【００３６】
▲２▼第一回転型物に取り付ける摺動子の回転円と、第二回転型物に取り付ける摺動子の回転円とが、同一の円となるように両摺動子の取付位置を設置したので、基板面を有効に利用でき、その径の小型化が図れる。
【００３７】
▲３▼クリック機構収納部の上に第二回転型物の操作部を配置したので、操作部の下部をクリック機構配置部として有効に利用できて小型化が図れ、また操作部を指で操作する際に指が操作部の下側に引っかかることはなく操作部を上方向に引き上げようとする力を防止できる。
【図面の簡単な説明】
【図１】本発明にかかる回転式電子部品１の分解斜視図である。
【図２】本発明にかかる回転式電子部品１の分解斜視図である。
【図３】本発明にかかる回転式電子部品１の分解斜視図である。
【図４】第二回転型物５０と第一回転型物７０を下側から見た斜視図である。
【図５】回転式電子部品１の斜視図である。
【図６】回転式電子部品１の概略側断面図（図５のＡ−Ａ概略側断面図）である。
【図７】回転式電子部品１の概略側断面図（図５のＢ−Ｂ概略側断面図）である。
【図８】組み立てたときの第一回転型物７０と第二回転型物５０の位置関係を示す図である。
【符号の説明】
１  回転式電子部品
１０  基台
２０  基板
２１  スイッチパターン
２３  第一の回転用の摺接パターン（スイッチパターン）
２５  第二の回転用の摺接パターン（スイッチパターン）
３０  可動接点部材
３５  第二ケース（固定側部材）
４１  クリック機構収納部
４７  クリックバネ（クリック弾発手段）
４８  弾発部
５０  第二回転型物
５１  本体部
５３  引出部
５５  操作部
５９  摺動子取付面
６５  クリック部
６７  隙間（凹部）
７０  第一回転型物
７９  摺動子取付面
８１  取付台
１１０  第一ケース
１２０  キートップ
１２１  押圧部
１３０  第一回転つまみ
２００  摺動子
２１０  摺動子
２３０  ロック用部材
２５０  クリック弾接部材
２５５  弾接部
２６０  クリック係合部材
【図１】
0003617489.tif 000002
【図２】
0003617489.tif 000003
【図３】
0003617489.tif 000004
【図４】
0003617489.tif 000005
【図５】
0003617489.tif 000006
【図６】
0003617489.tif 000007
【図７】
0003617489.tif 000008
【図８】
0003617489.tif 000009